【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
デジタル・イメージ処理装置であって、
物体像を検出イメージに変換することができる光学センサと、
光学センサに結合され、検出イメージをデジタル・イメージ情報に変換することができるアナログ−デジタル・コンバータと、
複数の計算要素と、第１の固定アーキテクチャは第２の固定アーキテクチャと異なるものである第１の固定アーキテクチャを備える複数の計算要素のうちの第１の計算要素および第２の固定アーキテクチャを備える複数の計算要素のうちの第２の計算要素と、
複数の計算要素およびアナログ−デジタル・コンバータに結合され、第１の構成情報への応答として複数のイメージ処理機能のうちの第１のイメージ処理機能を実行するように複数の計算要素を構成することと、第２の構成情報への応答として複数のイメージ処理機能のうちの第２のイメージ処理機能を実行するように複数の計算要素を再構成することによりデジタル・イメージ情報からの処理済みのデジタル・イメージを供給することができ、第１のイメージ処理機能は第２のイメージ処理機能と異なる、相互接続ネットワークを備えることを特徴とするデジタル・イメージ処理装置。
【請求項２】
さらに、
物体像を光学センサに送ることができる焦点合わせ手段を備える請求項１に記載のデジタル・イメージ処理装置。
【請求項３】
焦点合わせ手段は焦点合わせアセンブリを備え、焦点合わせアセンブリはさらに、レンズ、シャッター、絞り、および焦点合わせモータを備える請求項２に記載のデジタル・イメージ処理装置。
【請求項４】
光学センサは、電荷結合素子（ＣＣＤ）、電荷注入素子（ＣＩＤ）、光学相補型金属酸化シリコン（ＣＭＯＳ）アレイ、光学バイポーラ接合型トランジスタ（ＢＪＴ）アレイ、フォトゲート・アレイ、またはフォトダイオード・アレイを含む複数の光学センサのうちの少なくとも１つである請求項１に記載のデジタル・イメージ処理装置。
【請求項５】
さらに、
相互接続ネットワークに結合され、処理済みデジタル・イメージをアナログ形式に変換することができるアナログ出力インターフェースと、
アナログ出力インターフェースに結合され、処理済みデジタル・イメージのアナログ形式を視覚的に表示することができるファインダ画面を備える請求項１に記載のデジタル・イメージ処理装置。
【請求項６】
さらに、
相互接続ネットワークに結合され、処理済みデジタル・イメージをアナログ形式に変換することができるアナログ出力インターフェースと、
アナログ出力インターフェースに結合され、処理済みデジタル・イメージのアナログ形式を出力することができるアナログ出力ポートとを備える請求項１に記載のデジタル・イメージ処理装置。
【請求項７】
さらに、
相互接続ネットワークに結合可能であり、処理済みデジタル・イメージを格納することができる第１のメモリを備える請求項１に記載のデジタル・イメージ処理装置。
【請求項８】
第１のメモリは選択的に取り外し可能なフラッシュ・メモリである請求項７に記載のデジタル・イメージ処理装置。
【請求項９】
さらに、
相互接続ネットワークに結合され、第１の構成情報および第２の構成情報を格納することができる第２のメモリを備える請求項７に記載のデジタル・イメージ処理装置。
【請求項１０】
第２のメモリは同期ダイナミック・ランダム・アクセス・メモリ（ＳＤＲＡＭ）である請求項９に記載のデジタル・イメージ処理装置。
【請求項１１】
第１のメモリおよび第２のメモリは、フラッシュ・メモリ、ＤＲＡＭ、ＳＲＡＭ、ＳＤＲＡＭ、ＦｅＲＡＭ、ＭＲＡＭ、ＲＯＭ、ＥＰＲＯＭ、およびＥ２ＰＲＯＭを含む複数のメモリ・タイプのうちの少なくとも１つである請求項９に記載のデジタル・イメージ処理装置。
【請求項１２】
さらに、
相互接続ネットワークに結合され、処理済みデジタル・イメージを出力することができるデジタル出力ポートを備える請求項１に記載のデジタル・イメージ処理装置。
【請求項１３】
処理済みデジタル・イメージは、複数の処理済みデジタル・イメージ・データ・パケットとして供給される請求項１に記載のデジタル・イメージ処理装置。
【請求項１４】
さらに、
相互接続ネットワークに結合され、複数の処理済みデジタル・イメージ・データ・パケットから複数の処理済みデジタル・イメージ・データ・ワードを選択し、複数の処理済みデジタル・イメージ・データ・ワードをまとめることで処理済みデジタル・イメージを形成することができるデジタル出力インターフェースを備える請求項１３に記載のデジタル・イメージ処理装置。
【請求項１５】
デジタル・イメージ情報は、複数のデジタル・イメージ情報データ・パケットとして供給される請求項１に記載のデジタル・イメージ処理装置。
【請求項１６】
さらに、
物体からの反射で物体像を形成する光を供給することができる光源を備える請求項１に記載のデジタル・イメージ処理装置。
【請求項１７】
さらに、
相互接続ネットワークに結合され、処理済みデジタル・イメージを有形の媒体に印刷することができるプリンタを備える請求項１に記載のデジタル・イメージ処理装置。
【請求項１８】
さらに、
相互接続ネットワークに結合され、処理済みデジタル・イメージを有形の媒体に転送することができる乾式コピー機を備える請求項１に記載のデジタル・イメージ処理装置。
【請求項１９】
さらに、
相互接続ネットワークに結合され、処理済みデジタル・イメージを離れた場所に送信することができるデータ送信器を備える請求項１に記載のデジタル・イメージ処理装置。
【請求項２０】
データ送信器は、アナログ（音声帯域）モデム、デジタル・モデム、デジタル加入者回線モデム、およびケーブル・モデムの複数のデータ送信器のうちの少なくとも１つである請求項１８に記載のデジタル・イメージ処理装置。
【請求項２１】
複数のイメージ処理機能は、線形フィルタ処理、非線形フィルタ処理、モルフォロジー・フィルタ処理、メディアン・フィルタ処理、局所重み付きメディアン・フィルタ処理、中心重み付きメディアン・フィルタ処理、ベクトル重み付きメディアン・フィルタ処理、マルチチャネル・イメージ回復、マルチフレーム・イメージ復元、反復イメージ復元、動き検出、動き推定、ローパス・フィルタ処理、マルチレート・フィルタ処理、ウェーブレット・ベースのマルチレート・フィルタ処理、オートフォーカス、コントラスト促進、ぼやけ除去などの機能うちの少なくとも２つを含む請求項１に記載のデジタル・イメージ処理装置。
【請求項２２】
第１の固定されたアーキテクチャおよび第２の固定されたアーキテクチャは、線形フィルタ処理、非線形フィルタ処理、メモリ、加算、乗算、複素乗算、減算、同期化、キュー処理、オーバー・サンプリング、アンダー・サンプリング、適応、構成、再構成、制御、入力、出力、およびフィールド・プログラマビリティなどの対応する機能のうち少なくとも２つを含む複数の特定のアーキテクチャから選択される請求項１に記載のデジタル・イメージ処理装置。
【請求項２３】
検出イメージは、物体像の輝度および色の変化に対応する電気的信号を含む請求項１に記載のデジタル・イメージ処理装置。
【請求項２４】
少なくとも１つの集積回路として実現される請求項１に記載のデジタル・イメージ処理装置。
【請求項２５】
デジタル・カメラとして実現される請求項１に記載のデジタル・イメージ処理装置。
【請求項２６】
スキャナ、プリンタ、または乾式コピー機のうち１つまたは複数として実現される請求項１に記載のデジタル・イメージ処理装置。